(57)【要約】  パッケージは、可撓性ウェブ部（２２）を介して互いに接続されている２個の部材（２０、２１）を有する外パッケージ（２）を含む。各部材（２０、２１）は、ベースパネル（２００、２１０）及び２対の対向する側壁パネル（２０１、２０２、２１１、２１２）を含む。側壁パネル（２０１、２１１）の一方は、対向する側壁パネル（２０２、２１２）に向かう方向に延びる取り付け部（２０４、２１４）を有する。内パッケージは、外パッケージ部材（２０、２１）の取り付け部（２０４、２１４）に取り付けられたエッジ部（３０４、３１４）を含み、閉じた状態では、ブリスタパック部材によって支えられた商品がベースパネル（２００、２１０）に面するようになっている。部材（２０、２１）は可撓性ウェブ部（２２）を介して互いに向けて折り曲げられる。開いた状態では、外パッケージ部材（２０、２１）が展開し、部材（３）は、ブリスタパック部材（３０、３１）を対向する側壁パネル（２０２、２１２）から離す方向に折り曲げることによってアクセス可能になる。
2008540269.tif 000002
【特許請求の範囲】
【請求項１】
開閉可能な外パッケージ（２）及び商品を支える内パッケージを含む、商品、たとえばチューインガム、錠剤、カプセルなどのためのパッケージ（１）であって、外パッケージ（２）が、可撓性ウェブ部（２２）を介して互いに接続されている比較的剛性の２個の外パッケージ部材（２０、２１）を含み、２個の外パッケージ部材（２０、２１）それぞれが、ベースパネル（２００、２１０）及び２対の対向する側壁パネル（２０１、２０２、２１１、２１２）を含み、２個の外パッケージ部材（２０、２１）それぞれの側壁パネル（２０１、２１１）の少なくとも一方が折り目を付けられて、各外パッケージ部材（２０、２１）の対向する側壁パネル（２０２、２１２）に向かう方向に延びる取り付け部（２０４、２１４）を形成し、内パッケージが、商品をその二つの側面の一方で支えるパネル部材又はブリスタパック部材（３、４）を含み、内パッケージのパネル部材又はブリスタパック部材（３、４）が、各外パッケージ部材（２０、２１）の取り付け部（２０４、２１４）に取り付けられているエッジ部（３０４、３１４、４０４、４１４）を含み、パッケージ（１）の閉じた状態では、各パネル部材又はブリスタパック部材によって支えられた商品が各外パッケージ部材（２０、２１）のベースパネル（２００、２１０）に面し、２個の外パッケージ部材（２０、２１）が可撓性ウェブ部（２２）を介して互いに向けて折り曲げられて互いの上に位置し、パッケージ（１）の開いた状態では、２個の外パッケージ部材（２０、２１）が展開し、商品を支えるパネル部材又はブリスタパック部材（３、４）が、パネル部材又はブリスタパック部材（３０、３１、４０、４１）が取り付けられた取り付け部（２０４、２１４）を、対向する側壁パネル（２０２、２１２）から離す方向に折り曲げられてアクセス可能となり、それによってパネル部材又はブリスタパック部材（３、４）によって支えられた商品を剥き出しにすることを特徴とするパッケージ。
【請求項２】
外パッケージ部材（２０、２１）が、外パッケージ部材（２０、２１）を閉じた状態にロックし、再び解除することを可能にする係合手段（２０６、２１６）を有する前壁パネル（２０３、２１３）をさらに含む、請求項１記載のパッケージ。
【請求項３】
内パッケージが、可撓性の折り目（３２、４２）によって接続されている２個のパネル部材又はブリスタパック部材（３０、３１、４０、４１）を含み、パネル部材又はブリスタパック部材（３０、３１、４０、４１）のエッジ部（３０４、３１４、４０４、４１４）が、外パッケージ部材（２０）と外パッケージ部材（２１）との間の可撓性ウェブ部材（２２）が突出した状態で外パッケージ部材（２０、２１）の取り付け部（２０４、２１４）に取り付けられて、その結果、外パッケージ部材（２０、２１）が展開すると、２個のパネル部材又はブリスタパック部材（３０、３１、４０、４１）が展開し、さらに、商品を剥き出しにする位置まで裏返しになる、請求項１又は２記載のパッケージ。
【請求項４】
２個のパネル部材又はブリスタパック部材（４０、４１）を接続する可撓性の折り目が、接続されたパネル部材（４０、４１）又はブリスタパック部材（４０、４１）の幅の大部分にわたって延びる細長い溝（４２）によって形成され、細長い溝（４２）と軸方向に整合してスリット（４２０）が配設され、一つのスリット（４２０）がパネル部材又はブリスタパック部材（４０、４１）の各エッジから細長い溝（４２）に向けて延びて、接続されたパネル部材又はブリスタパック部材（４０、４１）が折り曲げられる際の枢転軸を画定する、請求項３記載のパッケージ。
【請求項５】
取り付け部（２０４、２１４）を有する側壁パネル（２０１、２１１）に対向する、外パッケージ部材（２０、２１）の側壁パネル（２０２、２１２）が、ベースパネル（２００、２１０）に向かって斜めに延びるように三角形に折り曲げられたのち、ベースパネル（２００、２１０）に対して平行に延びるように再び折り曲げられる壁延長部（２０５、２１５）を備えている、請求項１〜４のいずれか１項記載のパッケージ。
【請求項６】
壁延長部（２０５）がフラップ（２０７）を備えている、請求項５記載のパッケージ。
【発明の詳細な説明】
【技術分野】
【０００１】
本発明は、独立請求項の前段部分に記載の商品用パッケージに関する。
【０００２】
錠剤形態又はカプセルに封入された粉末もしくは液体形態にある薬のためのブリスタパックが長らく知られている。通常、ブリスタパックは、互いに取り付けられる、比較的剛性のベースフォイル及びふたフォイルを含む。ベースフォイルは、錠剤又はカプセルを収容するための空洞又は開いたブリスタを含み、ふたフォイルは平坦であり、空洞又はブリスタの開口を封止する。これらのフォイルを互いに取り付けるもっとも一般的な方法はヒートシーリングである。したがって、フォイルの少なくとも一方は熱可塑性を有する。ベースフォイルの材料の例は、アルミニウムラミネート、ポリプロピレン又はＰＶＣラミネートである。ふたフォイルの材料の例は、アルミニウム又はアルミニウムラミネートなどである。
【０００３】
一つ以上のブリスタパックは通常、外パッケージ、たとえば箱又はカートンに入れられ、薬局で販売される単位は通常、一つ以上の内パッケージ（一つ以上のブリスタパック）及び通常は服用、副作用などに関する取扱説明書を収容する外パッケージ（箱又はカートン）を含む。外パッケージの体積を節約するため、ＵＳ６，２５３，９２０において、可撓性ウェブによって接続された平行な２列のブリスタを含むブリスタパックを提供することが提案されている。一方の列のブリスタが他方の列の各ブリスタに対してオフセットであり、ブリスタを可撓性ウェブに沿って折り曲げると、一方の列のブリスタが他方の列のブリスタとブリスタとの間の空間に位置し、隣接して配設されたブリスタパックのふたフォイルが互いに面するようになっている。
【０００４】
しかし、持ち運ぶためにパッケージから取り出された１個のブリスタパックは、破損しやすいふたフォイルが外を向くため、損傷を受けやすい。したがって、パッケージ全体（１個以上のブリスタパックを含む外パッケージ）を持ち運ぶことが通常のやり方であったが、それは非常に不便である。加えて、外パッケージからブリスタパックを引き出すプロセスが同じく比較的不便である。したがって、本発明の目的は、前述の欠点を解消することである。
【０００５】
これらの不都合を解消するため、本発明にしたがって、独立請求項の特徴部分を特徴とする商品用のブリスタパックが提案される。有利な実施態様が従属項の主題である。
【０００６】
本発明の基礎にある概念は、製品が非意図的なアクセスに対してより良く防護されるということである。したがって、内パッケージがブリスタパックである場合、一つのブリスタパック部材のふたフォイルが他のブリスタパック部材のふたフォイルの上に位置するようになる。ふたフォイルは非意図的には損傷されにくいため、これは製品のさらなる防護を提供する。しかも、内パッケージが、ブリスタパック部材ではなくパネル部材を含むだけであるとしても、製品は、パネル部材により、外パッケージの比較的剛性のベースパネルに面するようなやり方で支えられ、したがって、非意図的なアクセスに対してより良く防護される。
【０００７】
特に、開閉可能な外パッケージ及び商品を支える内パッケージを含む、商品、たとえばチューインガム、錠剤、カプセルなどのためのパッケージが提案される。外パッケージは、可撓性ウェブ部を介して互いに接続されている比較的剛性の２個の外パッケージ部材を含む。２個の外パッケージ部材それぞれは、ベースパネル及び２対の対向する側壁パネルを含む。２個の外パッケージ部材それぞれの側壁パネルの少なくとも一方は折り目を付けられて、各外パッケージ部材の対向する側壁パネルに向かう方向に延びる取り付け部を形成する。内パッケージは、商品をその二つの側面の一方で支えるパネル部材又はブリスタパック部材を含む。内パッケージのパネル部材又はブリスタパック部材は、各外パッケージ部材の取り付け部に取り付けられているエッジ部を含み、パッケージの閉じた状態では、各パネル部材又はブリスタパック部材によって支えられた商品が各外パッケージ部材のベースパネルに面し、２個の外パッケージ部材が可撓性ウェブ部を介して互いに向けて折り曲げられて互いの上に位置する。パッケージの開いた状態では、２個の外パッケージ部材は展開し、商品を支えるパネル部材又はブリスタパック部材は、パネル部材又はブリスタパック部材が取り付けられた取り付け部を、対向する側壁パネルから離す方向に折り曲げられてアクセス可能となり、それによってパネル部材又はブリスタパック部材によって支えられた商品を剥き出しにする。
【０００８】
内パッケージはブリスタパック部材を含むことが好ましいが、パネル部材の場合でさえ、商品は、外パッケージのベースパネルに面するように支えられ、したがって非意図的なアクセスに対して防護されるため、内パッケージがブリスタパック部材を含むことは不可欠ではない。外パッケージが開かれた場合、製品を支えるパネル部材又はブリスタパック部材が取り付けられた取り付け部を外に折り曲げて製品を剥き出しにすることができる。これは、パネル部材又はブリスタパック部材が互いに接続されていない限り、パネル部材又はブリスタパック部材それぞれに対して個々に実施することができる。
【０００９】
本発明のパッケージの一つの実施態様では、外パッケージ部材は、外パッケージ部材の閉じた状態にロックし、再び解除することを可能にする係合手段を有する前壁パネルをさらに含む。外パッケージの内空間へのアクセスを許すためには、すべての係合手段の最初のものを解除しなければならないため、これは、非意図的なアクセスに対してさらなる防護を提供する。
【００１０】
本発明のパッケージのさらなる実施態様では、内パッケージは、可撓性の折り目によって接続されている２個のパネル部材又はブリスタパック部材を含む。パネル部材又はブリスタパック部材のエッジは、外パッケージ部材と外パッケージ部材との間の可撓性ウェブ部材が突出した状態で外パッケージ部材の取り付け部に取り付けられている。その結果、外パッケージの取り付け部に沿ってのみブリスタパック部材が取り付けられることにより、外パッケージ部材が展開すると、２個のパネル部材又はブリスタパック部材は展開し、さらに、商品を剥き出しにする位置まで裏返しになる。ユーザは、製品にアクセスするために、パネル部材又はブリスタパックが取り付けられた取り付け部を外に折り曲げる必要がなく、それどころか、この操作は、外パッケージを開ける際に「自動的」に実行されるため、この実施態様はとりわけ好都合である。
【００１１】
本発明のパッケージのさらなる実施態様では、２個のパネル部材又はブリスタパック部材を接続する可撓性の折り目は、接続されたパネル部材又はブリスタパック部材の幅の大部分にわたって延びる細長い溝（elongated groove）によって形成される。細長い溝と軸方向に整合してスリットが配設され、一つのスリットがブリスタパック部材のパネル部材の各エッジから細長い溝に向けて延びて、接続されたパネル部材又はブリスタパック部材が折り曲げられる際の枢転軸（hinge axis）を画定する。細長い溝はヒンジの良好な可撓性を提供するが、単独では、パネル部材又はブリスタパック部材が折り曲げられる際の枢転軸を正確には決定しない。しかし、この枢転軸は、事前にカットされたスリットによって設定され、同時に、ヒンジの良好な可撓性が維持される。また、この実施態様は製造しやすいということが明らかである。
【００１２】
本発明のパッケージのさらなる実施態様では、取り付け部を有する側壁パネルに対向する、外パッケージ部材の側壁パネルは、ベースパネルに向かって斜めに延びるように三角形に折り曲げられたのち、ベースパネルに対して平行に延びるように再び折り曲げられる壁延長部(wall extension)を備えている。この折り曲げ技術は、パッケージの全体サイズを最小限にし、正方形に折り曲げた端部に比べて大きく改善された剛性を有するパッケージを提供する。
【００１３】
本発明のパッケージの特定の実施態様では、壁延長部はフラップを備えている。この実施態様は、以下さらに説明するように、側壁の剛性を改善する。本発明の実施態様の以下の詳細な説明を図面と合わせて読むことにより、本発明のさらなる有利な局面が明らかになるであろう。
【００１４】
図１には、本発明のパッケージの一つの実施態様の外パッケージ２が示されている。外パッケージ２は、開いた状態、すなわち展開した状態で示されている。外パッケージは、可撓性ウェブ部２２を介して互いに接続されている２個の外パッケージ部材、すなわち第一の外パッケージ部材２０及び第二の外パッケージ部材２１を含む。第一の外パッケージ部材２０は、ベースパネル２００、２個の対向する側壁パネル２０１及び２０２ならびに前面パネル２０３を含む。同様に、第二の外パッケージ２１もまた、ベースパネル２１０、２個の対向する側壁パネル２１１及び２１２ならびに前面パネル２１３を含む。
【００１５】
第一の外パッケージ部材２０の側壁パネル２０１は折り目を付けられて、対向する側壁パネル２０２に向かう方向に延びる取り付け部２０４を形成している。側壁パネル２０２は壁延長部２０５を備え、この壁延長部は、三角形に折り曲げられ、ベースパネル２００に向かって延びたのち、再び折り曲げられてベースパネル２００に対して平行に延びている。このように構成された側壁パネル２０２が外パッケージ２の安定性を改善する。同様に、第二の外パッケージ部材２１の側壁パネル２１１もまた、対向する側壁パネル２１２に向かう方向に延びる取り付け部２１４を形成するように折り目を付けられている。側壁パネル２１２は壁延長部２１５を備え、この壁延長部は、三角形に折り曲げられ、ベースパネル２１０に向かって延びたのち、再び折り曲げられてベースパネル２１０に対して平行に延びている。
【００１６】
三角形に折り曲げられた壁延長部２０５を備えた側壁パネル２０２の一つの実施態様が図１０及び図１２の斜視図に示されている。三角形に折り曲げられた壁延長部２０５はフラップ２０７を備えている。図１０に示すように、フラップ２０７は、ベースパネル２００に対して下に折り曲げることができ、側壁パネル２０２に当接する位置でベースパネル２００に接着することができる。また、ベースパネル２００に対して平行に延びる壁延長部２０５の部分がベースパネル２００に接着されている。フラップ２０７は、フラップ２０７及び壁延長部２０５の下部を、ベースパネル２０５に対し、長方形の三角形が形成されるような正しい位置で接着するのに役立つ（図１２を参照）。同時に、フラップ２０７は接合面積を増す。このような三角形に折り曲げられた壁延長部を使用すると、外パッケージの変形は起こらず、パッケージ全体のサイズが最適化される。
【００１７】
これは、図１１に示す、側壁パネルの正方形に折り曲げられた壁延長部の実施態様を参照すると、容易に認めることができる。壁延長の下部がベースパネルに接着されるとしても、側壁及び正方形に折り曲げられた壁延長部の変形が起こって、図１１で破線によって示すような非長方形の平行四辺形を形成してしまう。図１０及び１２に示すような三角形に折り曲げられた壁延長部を使用する場合、そのような変形は起こりえない。したがって、三角形に折り曲げられた壁延長部２０５は外パッケージ２の剛性をも改善する。
【００１８】
図２は、図１を参照して一例として記載したような外パッケージ２ならびに図示する実施態様では可撓性の折り目３２（図２には示さず。図５を参照）によって互いに接続されている２個のブリスタパック部材、すなわち第一のブリスタパック部材３０及び第二のブリスタパック部材３１を含むブリスタパック３である内パッケージを含む本発明のパッケージ１の実施態様を示す。ブリスタパック部材３０及び３１それぞれの個々のブリスタ３００及び３１０は、図２で破線によって示すように外パッケージ部材２０及び２１の各ベースパネル２００及び２１０に対面している。すなわち、図２では、ブリスタパック部材３０及び３１の比較的剛性（そして場合によっては透明な）ベースフォイルが外パッケージ部材２０及び２１の各ベースパネル２００及び２１０に面し、より可撓性のふたフォイル（通常はアルミニウムフォイル）が上を向いている。内パッケージは必ずしもブリスタパックでなくてもよいことが理解されよう。ブリスタパックが内パッケージの好ましい実施態様であるが、支える製品のタイプに依存して、上側又は下側に製品を支える平坦なパネル部材をブリスタパックに代えて用いることも十分に考えられる。また、内パッケージ部材（ブリスタパック部材又はパネル部材）は、必ずしも互いに接続される必要はない。それらは、別々の部材であって、各部材が外パッケージ部材の取り付け部の一つに取り付けられることもできる。しかし、以下さらに詳細に説明するように、ブリスタパック部材３０及び３１が可撓性の折り目３２によって接続された状態で示される実施態様が特に有利である。
【００１９】
ブリスタパック３のブリスタパック部材３０及び３１は、各外パッケージ部材２０及び２１の取り付け部２０４及び２１４に取り付けられているエッジ部３０４及び３１４をそれぞれ有する。ブリスタパック３のエッジ部３０４及び３１４は取り付け部２０４及び２１４（図１を参照）に取り付けられ、その取り付け部２０４及び２１４は、図２の仮想線によって示すように可撓性ウェブ部２２が張り出しを有するように互いに向けて動かされている。取り付け部２０４及び２１４へのエッジ部３０４及び３１４の取り付けは、適当な技術、たとえばシール、接着などによって実施することができる。
【００２０】
ひとたびブリスタパック３のエッジ部３０４及び３１４が外パッケージ２の取り付け部２０４及び２１４に安全に取り付けられると、パッケージ１を閉じ、閉じた状態で「ロック」することができる。このロックされたパッケージ１の閉じた状態が図３に示されている。図４から、前面パネル２０３及び２１３に設けられた係合手段を用いてパッケージをロックすることができることが見てとれる。図示するパッケージの実施態様では、係合手段は、外パッケージ部材２０の前面パネル２０３に設けられたつまみ２０６及びつまみ２０６を受け入れてパッケージ１をロック状態に保定するための前面パネル２１３に設けられた対応するスリット２１６を含む。ロックされた状態では、ブリスタパック部材３０及び３１のアルミニウムふたフォイルが互いの上に位置するように配設され、ブリスタパックは、ふたフォイルの非意図的な損傷に対して良好に防護される。
【００２１】
次に、図４〜９を参照して、製品にアクセスするためにパッケージ１を開くプロセスを説明する。図４には、第一のステップが示されている。前面パネル２０３に設けられているつまみ２０６が、前面パネル２１３に設けられたスリット２１６から抜き出されている。そして、図５に示すように、展開プロセスが始まると、パッケージ１を展開することによって開けることができる。ブリスタパック３に関しては、ブリスタパック３のブリスタパック部材３０及び３１が可撓性の折り目３２を中心にして展開する。この展開プロセスは、図６に示すように継続する。
【００２２】
次に、図７〜９を参照して、展開プロセスをさらに継続する際に生じるさらなる効果を説明する。この効果は、第一の外パッケージ部材２０と第二の外パッケージ部材２１とを接続する可撓性ウェブ２２がパッケージ１の縦方向に伸びることができるという事実によって生じる。しかし、第一のブリスタパック部材３０と第二のブリスタパック部材３１とが、パッケージ１の縦方向に本質的に伸ばすことはできない折り目３２を介して接続されているという事実により、外パッケージ２の可撓性ウェブ２２は、ブリスタパック部材３のエッジ部３０４及び３１４が外パッケージ２の取り付け部２０４及び２１４に取り付けられている領域では縦方向に伸ばすことはできない。その結果、外パッケージ３の継続する伸びについてゆくことができず、ブリスタパック３は下に裏返り始める。ブリスタパック３が裏返り動作を始めたばかりであるこの状況が図７に示されている。開くプロセスが継続すると、図８に示すようにブリスタパック３はさらに下に裏返り、最後に、パッケージは、図９に示すように、ブリスタパック３が完全に下まで裏返った状態の全開位置に達する。すると、個々のブリスタ３００及び３１０のベースフォイルがアクセス可能になり、ブリスタパックに関して一般的であるように、１個のブリスタ３００又は３１０のベースフォイルを押してアルミニウムふたフォイルに破れを生じさせることにより、錠剤又はカプセルを取り出すことができる。錠剤又はカプセルを取り出したのち、ブリスタパック３をその元の位置（図２を参照）に戻し、外パッケージ２を閉じ、再び「ロック」すると（図３を参照）、ブリスタパック３のアルミニウムふたフォイルが互いの上に位置し、ブリスタが外パッケージ２のベースパネル２００及び２１０に面する状態で容易に持ち運ぶことができ、それにより、ブリスタパック３のアルミニウムふたフォイルに対する偶発的な損傷の危険が最小限になる。
【００２３】
本発明のパッケージの内パッケージとして特に適しているブリスタパックのもう一つの実施態様が図１３に示されている。ブリスタパック４のこの実施態様は、ブリスタキャビティ４００、４１０及び外パッケージ２の取り付け部２０４、２１４への取り付けのためのエッジ部４０４、４１４を有する２個のブリスタパック部材４０及び４１（上記パッケージの実施態様のブリスタパック部材３０及び３１と同様）を含む。しかし、ブリスタパック４の折り目は、接続されたブリスタパック部材４０、４１の幅の実質的部分にわたって延びる細長い溝４２によって形成されている。細長い溝４２と軸方向に整合して、細長い溝４２の両端にスリット４２０が配設されている。各スリット４２０は、パネル部材又はブリスタパック部材４０、４１の各エッジから細長い溝４２に向かって垂直に延びている。細長い溝４２は、その縦方向長さに対して垂直な一定の幅を有するため、細長い４２は、単独では、パッケージ開閉時にブリスタパック部材４０及び４１が折り曲げられる際の枢転軸を正確には画定しない。したがって、この枢転軸は、事前にカットされたスリット４２０によって設定されている。要するに、細長い溝４２がヒンジ接続に良好な可撓性を提供し、事前にカットされたスリット４２０が、パッケージ開閉時にブリスタパック部材４０、４１が折り曲げられる際の枢転軸を決定する。図１４は、細長い溝４２の位置を示すブリスタパック４の側面図を示し、図１５は、図１４の細部XV（すなわち、細長い溝４２の断面形状）を拡大して示す。
【００２４】
ブリスタパック４は、本発明のパッケージの内パッケージとして使用される場合に特に適しているが、外パッケージなしでブリスタパック４を使用することも可能であることが理解されよう。しかし、その場合、２個のふたフォイル（アルミニウムフォイル）が互いの上に位置する折り曲げ位置にブリスタパック部材４０、４１をロックすることができるような適当な係合手段をブリスタパック４に設けることができる。このブリスタパック４のフォイル対フォイル状態（外パッケージなし）はまた、外パッケージを要することなく、ふたフォイルに対する偶発的な損傷に対する実効的な防護を提供する。この目的に適した係合手段は当該技術で公知であり、ブリスタパック４の、細長い溝４２に対して平行に延びるエッジに配設することができる、ブリスタパック部材４０、４１を部分的に覆い、折り曲げ位置でロックすることができるようなストラップを含むことができる。あるいはまた、係合手段は、当該技術で周知であるように、これらの端部領域の一つにおける突起及びブリスタパック４の他の端部領域における対応する凹みを含み、突起を凹みに押し込んで摩擦嵌めを提供してブリスタパック部材４０、４１を折り曲げ位置にロックするようなものであることもできる。
【００２５】
具体的な態様を参照して本発明を開示したが、請求の範囲によって定められる発明の本質及び範囲を逸することなく、数多くの変更及び改変が可能であることが理解されよう。
【図面の簡単な説明】
【００２６】
【図１】本発明のパッケージの実施態様の外パッケージを開いた状態で示す図である。
【図２】本発明のパッケージの実施態様を、図１の外パッケージ及びそのパッケージの側壁の取り付け部に取り付けられた内ブリスタパックとともに示す図である。
【図３】閉じた状態にある図２のパッケージの実施態様を、係合手段をロックした状態で示す図である。
【図４】閉じた状態にある図２のパッケージの実施態様を、係合手段をロック解除した状態で示す図である。
【図５】図２のパッケージの実施態様を、パッケージを展開し始めたところで示す図である。
【図６】図２のパッケージの実施態様を、パッケージを展開し続けたところで示す図である。
【図７】図２のパッケージの実施態様を、パッケージをさらに展開し続けたのち、内ブリスタパックが下に裏返り始めたところで示す図である。
【図８】図２のパッケージの実施態様を、パッケージをさらに展開し続けたのち、内ブリスタパックが下に裏返り続けたところで示す図である。
【図９】完全に展開した状態にある図２のパッケージの実施態様を、内ブリスタパックが完全に下まで裏返った状態で示す図である。
【図１０】外パッケージの三角形に折り曲げられた側壁パネルの実施態様の斜視図である。
【図１１】外パッケージの正方形に折り曲げられた側壁パネルの側面図である。
【図１２】図１０の三角形に折り曲げられた側壁パネルの側面図である。
【図１３】本発明のパッケージで使用するのに特に適したブリスタパックの特定の実施態様の平面図である。
【図１４】図１３のブリスタパックの側面図である。
【図１５】図１４に示す細部（細長い溝）の断面図である。
【図１】
2008540269.tif 000003
【図２】
2008540269.tif 000004
【図３】
2008540269.tif 000005
【図４】
2008540269.tif 000006
【図５】
2008540269.tif 000007
【図６】
2008540269.tif 000008
【図７】
2008540269.tif 000009
【図８】
2008540269.tif 000010
【図９】
2008540269.tif 000011
【図１０】
2008540269.tif 000012
【図１１】
2008540269.tif 000013
【図１２】
2008540269.tif 000014
【図１３】
2008540269.tif 000015
【図１４】
2008540269.tif 000016
【図１５】
2008540269.tif 000017
【国際調査報告】
2008540269.tif 000018
2008540269.tif 000019